(57)【要約】【課題】サブメニューの指定が完了しているメニュー品目と指定が完了していないメニュー品目とを容易に区別できるようにする。【解決手段】オーダ記憶部にサブメニューを有するメニュー品目の注文メニュー情報が記憶されているとき、そのメニュー品目毎にサブメニューが指定済か否かを判断する。そして、サブメニューが指定済でないと判断されたメニュー品目を報知する。【選択図】      図１７
2005182459.tif 000002
【特許請求の範囲】
【請求項１】
飲食店における注文メニュー情報を入力するための入力部と、
この入力部を介して入力される注文メニュー情報を記憶するオーダ記憶部と、
このオーダ記憶部に記憶された注文メニュー情報を表示する表示部と、
メニュー品目に付随するサブメニューの品目を指定するサブメニュー指定手段と、
前記オーダ記憶部に前記サブメニューを有するメニュー品目の注文メニュー情報が記憶されているとき、そのメニュー品目毎に前記サブメニュー品目が指定済か否かを判断するメニュー別指定済判断手段と、
この指定済判断手段により前記サブメニュー品目が指定済でないと判断されたメニュー品目を報知する報知手段と、
を具備したことを特徴とする注文入力装置。
【請求項２】
飲食店における注文メニュー情報を入力するための入力部と、
この入力部を介して入力される注文メニュー情報を記憶するオーダ記憶部と、
このオーダ記憶部に記憶された注文メニュー情報を表示する表示部と、
前記オーダ記憶部にサブメニューを有するメニュー品目の注文メニュー情報が記憶されているとき、そのメニュー品目を表わす情報にそのメニュー品目が有するサブメニューを表わす情報を関連付けて前記表示部に表示させるメニュー表示制御手段と、
前記サブメニューの品目を指定するサブメニュー指定手段と、
前記メニュー表示制御手段により前記表示部に表示されるサブニューを表わす情報の表現を当該サブメニューの品目指定前と指定後とで異ならせる表現切換手段と、
を具備したことを特徴とする注文入力装置。
【請求項３】
飲食店における注文メニュー情報を入力するための入力部と、
この入力部を介して入力される注文メニュー情報を記憶するオーダ記憶部と、
このオーダ記憶部に記憶された注文メニュー情報を表示する表示部と、
前記オーダ記憶部にサブメニューを有するメニュー品目の注文メニュー情報が記憶されているとき、そのメニュー品目を表わす情報にそのメニュー品目が有するサブメニューを表わす情報を関連付けて前記表示部に表示させるメニュー表示制御手段と、
前記サブメニューの品目を指定するサブメニュー指定手段と、
前記オーダ記憶部にサブメニューを有するメニュー品目の注文メニュー情報が記憶された場合に、そのメニュー品目が有するサブメニュー毎に品目が指定されたか否かを判断するサブメニュー別指定済判断手段と、
前記メニュー表示制御手段により前記表示部に表示されるサブニューを表わす情報のうち、前記サブメニュー別指定済判断手段により品目指定済と判断されたサブニューを表わす情報の表現を品目未指定と判断されたサブメニューを表わす情報の表現と異ならせる表現切換手段と、
を具備したことを特徴とする注文入力装置。
【請求項４】
前記サブメニュー別指定済判断手段は、メニュー品目が有するサブメニュー毎に前記メニュー品目の注文数に一致する数の品目が指定されると指定済と判断することを特徴とする請求項３記載の注文入力装置。
【請求項５】
前記表現切換手段は、サブニューを表わす情報の色を変えることで表現を異ならせることを特徴とする請求項２乃至４のうちいずれか１項記載の注文入力装置。
【請求項６】
前記表現切換手段は、サブニューを表わす情報の形状を変えることで表現を異ならせることを特徴とする請求項２乃至４のうちいずれか１項記載の注文入力装置。
【発明の詳細な説明】
【技術分野】
【０００１】
本発明は、レストランや居酒屋等の飲食店において店員が携帯し、客から注文を受けた飲食メニューに関する情報の入力等に供せられる携帯型の注文入力装置に関する。
【背景技術】
【０００２】
例えばファミリーレストランでは、従来から、携帯型の注文入力装置いわゆるオーダエントリターミナルを使用した注文管理システムが導入されている。このシステムが導入されたレストランでは、ウェイターやウェイトレスと呼ばれる店員、いわゆる接客担当者がそれぞれオーダエントリターミナルを携帯して接客する。そして、客から飲食メニュー品目の注文を受けると、オーダエントリターミナルの入力部（キーボード，タッチパネル等）を入力操作して、その注文を受けた飲食メニュー品目に関する情報を入力するようになっている。
【０００３】
こうして、オーダエントリターミナルに入力された注文メニュー情報は、無線通信機能を利用して注文管理装置に伝送され、注文管理装置において客別に記憶管理される。そして、この注文メニュー情報に基づいて厨房への調理指示がなされたり、飲食代金の会計処理が行われたりするようになっている。
【０００４】
ところで、飲食店のメインメニュー品目のなかには、メインの料理の他にサラダや飲料等をそれぞれ数種類の中から選ぶことができるメニュー品目がある。この場合において、サラダや飲料等のメインメニュー品目の料理に付加されるメニュー品目をサブメニュー品目と称している。また、例えばサラダに付けるドレッシングの種類を選べるようにした店もある。この場合、ドレッシングはサラダに付随する情報であり、コメントと称している。
【０００５】
このような店で使用されている従来の注文入力装置は、入力された注文情報がサブメニューを有するメインメニュー品目に関する情報であるとき、そのメインメニュー品目に付加可能なサブメニューの一覧をサブメニューのグループ単位に表示させる。そして、１つのサブメニュー一覧の中からいずれかのサブメニュー品目が指定されると、次のサブメニュー一覧を表示させて、いずれかのサブメニュー品目が指定されるのを待機する。こうして、全てのサブメニュー群についてそれぞれサブメニュー品目が指定されると、次のメインメニュー品目を入力できるものであった（例えば、特許文献１参照）。
【特許文献１】特開２００３−１３２４３８公報
【発明の開示】
【発明が解決しようとする課題】
【０００６】
このように、従来のこの種の注文入力装置においては、サブメニューを有するメインメニュー品目の注文情報が入力されると、そのメインメニュー品目に付加されるサブメニュー品目の指定が終了するまで、次のメインメニュー品目の注文情報を入力することができなかった。このため、グループ客の中の１人がサブメニューを有するメインメニュー品目を注文した場合には、その客が希望するサブメニュー品目の指定が完了するまで他の客の注文情報を入力することができず、作業能率が悪い問題があった。
【０００７】
このような問題を解決するために、サブメニューを有するメインメニュー品目の注文情報が入力されても、次にそのメニュー品目に付加されるサブメニュー品目を指定しなければならない制約を無くすことが考えられる。こうすることにより、入力手順が自由化されるので、作業能率が向上する。しかしこの場合には、サブメニューを有するメインメニュー品目が複数注文されたとき、サブメニューの指定が完了しているメニュー品目と指定が完了していないメニュー品目とを容易に区別できることが望まれていた。
【０００８】
本発明はこのような事情に基づいてなされたもので、その目的とするところは、サブメニューの指定が完了しているメニュー品目と指定が完了していないメニュー品目とを容易に区別できる注文入力装置を提供しようとするものである。
【課題を解決するための手段】
【０００９】
本発明の注文入力装置は、飲食店における注文メニュー情報を入力するための入力部と、この入力部を介して入力される注文メニュー情報を記憶するオーダ記憶部と、このオーダ記憶部に記憶された注文メニュー情報を表示する表示部とを有している。また、メニュー品目に付随するサブメニューの品目を指定するサブメニュー指定手段を備えている。そして、オーダ記憶部にサブメニューを有するメニュー品目の注文メニュー情報が記憶されているとき、そのメニュー品目毎にサブメニューが指定済か否かを判断し、サブメニューが指定済でないと判断されたメニュー品目を報知するようにしたものである。
【発明の効果】
【００１０】
かかる手段を講じた本発明によれば、サブメニューの指定が完了しているメニュー品目と指定が完了していないメニュー品目とを容易に区別できる注文入力装置を提供できる。
【発明を実施するための最良の形態】
【００１１】
以下、本発明を実施するための最良な形態について、図面を用いて説明する。  
なお、この実施の形態は、ファミリーレストラン等の飲食店に構築された注文管理システムのオーダエントリターミナルに本発明を適用した場合である。
【００１２】
図１は本実施の形態における注文管理システムの全体構成図であり、図中１は接客担当者がそれぞれ携帯し、客から注文を受けた飲食メニュー品目に関する情報を入力するのに供する携帯型の注文入力装置、いわゆるオーダエントリターミナルである。オーダエントリターミナル１は、無線通信機能を内蔵しており、注文管理装置３の無線部２と無線を利用してデータ通信を行うことができるようになっている。無線部２は、例えば客席の天井部に取り付けられており、注文管理装置３と各オーダエントリターミナル１との間のデータ伝送の中継を担う。
【００１３】
注文管理装置３は、客の注文，調理，会計までを一元的に管理するコンピュータ機器であって、ＬＡＮ（Local Area Network）等の通信回線４を介して厨房端末５，伝票発行機６及びＰＯＳ端末７とオンラインで接続されている。
【００１４】
注文管理装置３は、各オーダエントリターミナル１から無線送信される客の注文メニュー情報を無線部２を介して受信すると、この注文メニュー情報を客別に記憶管理するとともに注文された飲食メニュー品目の調理指示データを作成し、厨房端末５に送信する。これにより、厨房端末５においては、注文された飲食メニュー品目の調理指示が表示，印字，音声等によって出力される。また注文管理装置３は、前記注文メニュー情報に基づいて注文伝票の印字データを作成し、伝票発行機６に送信する。これにより、伝票発行機６から客毎の注文伝票が印字発行される。また、ＰＯＳ端末７において会計を行う客の伝票番号が入力されると、注文管理装置３は、その伝票番号によって識別される客の注文メニュー情報をオーダ記憶部から読出し、ＰＯＳ端末７に送信する。これにより、ＰＯＳ端末７においては、飲食代金の会計処理が実行されるものとなっている。
【００１５】
さて、前記注文管理装置３が有するハードディスク等の不揮発性記憶装置には、各オーダエントリターミナル１での注文メニュー入力処理を支援するためのデータファイルとしてメインメニューファイル８，サブメニューファイル９及びコメントファイル１０が形成されている。そして、これらのデータファイル８．９．１０のデータは、各オーダエントリターミナル１に無線を利用してダウンロードされている。
【００１６】
メインメニューファイル８には、図２に示すように、一意に設定された群番号をキーとして、その群番号で識別されるメインメニュー群の名称と、そのメインメニュー群に属するメインメニュー品目の情報とが記憶されている。ここで、メインメニュー品目とは、単価が決められた飲食品目のことである。各メインメニュー品目の素材，構成等から分類されるメインメニュー群としては、例えばランチ類，サラダ／スープ類，パスタ類，グラタン／ドリア類，パン類，肉料理類，和膳／丼物類，デザート類，お子様向けメニュー類，飲料類，麺類等がある。
【００１７】
メインメニュー品目の情報には、メインメニュー品目毎に設定されたメニューコード（ＭＭＣ），メニュー名称及び単価の他、サブメニュー数とサブメニュー群の情報が含まれる。ここで、サブメニューとは、メインの料理に付加される飲食品目であって、複数品目の中からいずれか１品目を選択するようになっている。サブメニューの分類には、ライス，パン等の主食類、コーンサラダ，ポテトサラダ，ツナサラダ，マカロニサラダ等のサラダ類，ホットコーヒー，アイスコーヒー，紅茶，ジュース等の飲料類，ケーキ，アイスクリーム等のデザート類等がある。サブメニューとして付加された飲食品目の代金はメインメニュー品目の単価に含まれている。サブメニューを有するメインメニュー品目に対しては、そのメニュー品目が有するサブメニュー群の数とその識別コードである群番号とが、サブメニュー数及びサブメニュー群としてメインメニューファイル８に設定されている。これに対し、サブメニューを有さないメニュー品目に対しては、サブメニュー数及びサブメニュー群がいずれも“０”に設定されている。
【００１８】
サブメニューファイル９には、図３に示すように、一意に設定された群番号をキーとして、その群番号で識別されるサブメニュー群の名称と、そのサブメニュー群に属するサブメニュー品目の情報とが記憶されている。サブメニュー品目の情報には、サブメニュー品目毎に設定されたメニューコード（ＳＭＣ）及びメニュー名称の他、そのサブメニュー品目に付随するコメントの分類を示すコメント群番号が記憶されている。ここで、コメントとは、メニュー品目に付随する項目であり、例えばサラダに付けるドレッシングや飲料の提供時間等が該当する。
【００１９】
コメントファイル１０には、図４に示すように、一意に設定された群番号をキーとして、その群番号で識別されるコメント群の名称と、そのコメント群に属するコメントの情報とが記憶されている。コメントの情報には、コメント毎に設定されたコメントコード（ＣＭＣ）と、ドレッシング名，提供時間等のコメント項目とが含まれる。
【００２０】
オーダエントリターミナル１は、飲食店における注文メニュー情報を入力するための入力部、この入力部を介して入力される注文メニュー情報を一客分記憶するオーダ記憶部及びオーダ記憶部に記憶された注文メニュー情報を表示する表示部を備えている。
【００２１】
前記オーダエントリターミナル１の外観図を図５に示し、要部ブロック図を図６に示す。オーダエントリターミナル１は、薄板状で見開くことが可能な本体１０からなり、見開いたときの一方の面に入力部として機能するキーボード１１が設けられ、他方の面に入力部及び表示部として機能するタッチパネル付のディスプレイ１２が設けられている。
【００２２】
本体１０には、主制御部としてのＣＰＵ（Central Processing Unit）１３、プログラム等の固定的データが予め格納されたＲＯＭ（Read Only Memory）１４、前記データファイル８〜１０がダウンロードされるＲＡＭ（Random Access Memory）１５、無線回路１６、前記キーボード１１を制御するキーボードコントローラ１７、前記タッチパネル付ディスプレイ１２の画面表示を制御する表示コントローラ１８及びタッチパネル入力を制御するタッチパネル信号入力回路１９等が設けられている。ＣＰＵ１３と、ＲＯＭ１４，ＲＡＭ１５，無線回路１６，キーボードコントローラ１７，表示コントローラ１８及びタッチパネル信号入力回路１９とは、アドレスバス，データバス等のバスラインで接続されている。
【００２３】
キーボード１１には、客から注文を受けた飲食メニュー品目の入力を宣言するオーダキー２１の他、各種メインメニュー群を指定するメニュー群指定キー２２、置数キー２３、確認／送信キー２４等が配設されている。
【００２４】
タッチパネル付ディスプレイ１２には、注文を受けた飲食メニュー品目の名称と注文数とを１品目毎に皿の図柄内に対応付けて表示するためのメニュー画面４０が表示されている。
【００２５】
ＲＡＭ１５には、各データファイル８〜１０を記憶するエリアの他、図７に示すように、オーダ記憶部として機能するオーダメモリ３１、オーダ数カウンタｎのカウンタメモリ３２、サブメニューフラグＳＭＦのフラグメモリ３３、メニュー表示フラグＭＤＦのフラグメモリ３４等が形成されている。
【００２６】
かかる構成のオーダエントリターミナル１は、オーダキー２１の入力によりＣＰＵ１３が図８〜図１１の流れ図に示すオーダキー処理を実行するようにプログラム構成されている。すなわちＣＰＵ１３は、このオーダキー処理を開始すると、先ず、オーダメモリ３１をクリアする。また、オーダ数カウンタｎのリセットを行う。さらに、サブメニューフラグＳＭＦ及びメニュー表示フラグＭＤＦを“０”に設定する。
【００２７】
しかる後、ＣＰＵ１３は、ＳＴ１として確認／送信キー２４が入力されたか否かを判断する。そして、入力されていない場合には、ＳＴ２としてサブメニューフラグＳＭＦをチェックする。ここで、サブメニューフラグＳＭＦが“１”でない場合には、ＳＴ３としてメニュー群指定キー２２が入力されたか否かを判断する。そして、入力されていない場合には、ＳＴ４としてメニュー表示フラグＭＤＦをチェックする。ここで、メニュー表示フラグＭＤＦが“１”でない場合には、ＳＴ１の確認／送信キー入力判断処理に戻る。したがって、オーダキー２１が入力された直後は、ＣＰＵ１３は、確認／送信キー２４が入力されるか、メニュー群指定キー２２が入力されるのを待機する。
【００２８】
ＳＴ３にてキーボードコントローラ１７からの信号によりメニュー群指定キー２２が入力されたと判断した場合には、ＣＰＵ１３は、その入力されたメニュー群指定キー２２によって指定されたメインメニュー群に属するメインメニュー品目のリスト画面（メインメニューリスト画面５０）を作成し、タッチパネル付ディスプレイ１２に表示させる。そして、メニュー表示フラグＭＤＦを“１”に変更したならば、ＳＴ４のメニュー表示フラグＭＤＦの状態判断処理に進む。
【００２９】
メインメニューリスト画面５０の一例を図１２に示す。この画面５０は、メインメニュー群「ランチ」のメニュー群指定キー２２が入力されたときに表示されるメインメニューリスト画面５０であって、複数の区画からなるタッチキー部５１と、ＯＫボタン５２と、名称表示部５３とからなっている。タッチキー部５１には、その区画毎にメインメニュー群「ランチ」に属する各メインメニュー品目の名称が表示されている。名称表示部５３には、タッチ操作された区画内のメインメニュー品目の名称が表示される。
【００３０】
そこでＣＰＵ１３は、ＳＴ４にてメニュー表示フラグＭＤＦが“１”であることを確認すると、タッチパネル付ディスプレイ１２にいずれかのメインメニュー群に対応するメインメニューリスト画面５０が表示されているので、ＳＴ５としてその画面５０のタッチキー部５１がタッチ操作されたか否かを判断する。そして、タッチキー部５１がタッチ操作されていない場合には、メインメニュー品目の注文入力が行われていないので、ＣＰＵ１３は、画面５０のＯＫボタン５２がタッチ操作されたか否かを判断する。ここで、ＯＫボタン５２もタッチ操作されていない場合には、ＣＰＵ１３は、ＳＴ１の確認／送信キー入力判断処理に戻る。これに対し、タッチパネルからの信号によりＯＫボタン５２がタッチ操作されたことを検出した場合には、ＣＰＵ１３は、メインメニューリスト画面５０を消去する。そして、メニュー表示フラグＭＤＦを“０”に戻したならば、ＳＴ１の確認／送信キー入力判断処理に戻る。
【００３１】
したがって、メニュー群指定キー２２が操作されてメインメニューリスト画面５０がタッチパネル付ディスプレイ１２に表示されている状態にあっては、ＣＰＵ１３は、確認／送信キー２４が入力されるか、メニュー群指定キー２２が入力されるか、メインメニューリスト画面５０のタッチキー部５１またはＯＫボタン５２がタッチ操作されるのを待機する。そして、他のメニュー群指定キー２２が入力された場合には、表示中のメインメニューリスト画面５０に代えて、新たに入力されたメニュー群指定キー２２によって指定されたメインメニュー群に属するメインメニュー品目のリスト画面を表示させる。
【００３２】
ＳＴ５にてタッチパネルからの信号によりタッチキー部５１がタッチ操作されたことを検出した場合には、そのタッチされた区画内に表示されているメインメニュー品目の注文が指示されたので、ＣＰＵ１３は、図９に具体的に示すメインメニュー注文処理を実行する。
【００３３】
先ず、ＣＰＵ１３は、注文指示されたメインメニュー品目に関連する情報，すなわちメインメニューコード，メインメニュー名称，サブメニュー数及びサブメニュー群番号を注文管理装置３からダウンロードされたメインメニューファイル８から読み出す。
【００３４】
次に、ＣＰＵ１３は、注文指示されたメインメニュー品目のメインメニューコードを検索コードとしてオーダメモリ３１を検索する。そして、検索コードと一致するメインメニューコードを有する注文メニュー情報が記憶されていない場合には、注文指示されたメインメニュー品目と同一品目の注文メニュー情報がオーダメモリ３１に格納されていないので、ＣＰＵ１３は、オーダ数カウンタｎを１だけカウントアップした後、このオーダ数カウンタｎの値をオーダ番号とする注文メニュー情報を作成する。すなわち、注文指示されたメインメニュー品目のメインメニューコード，メインメニュー名称，サブメニュー数及びサブメニュー群番号を注文数＝１とともにオーダ番号ｎと対応付けて注文メニュー情報を作成する。そして、このオーダ番号ｎの注文メニュー情報をオーダメモリ３１に記憶する。
【００３５】
次に、ＣＰＵ１３は、ＳＴ６としてオーダ番号ｎの注文メニュー情報のサブメニュー数を調べる。ここで、サブメニュー数が“０”であった場合には、注文指示されたメインメニュー品目はサブメニューを有さない品目なので、ＣＰＵ１３は、タッチパネル付ディスプレイ１２のメニュー画面４０に注文指示されたメインメニュー品目のメインメニュー名称と注文数とを対応させて表示させる。しかる後、ＳＴ１の確認／送信キー入力判断処理に戻る。
【００３６】
ＳＴ６にてサブメニュー数が“１”以上であった場合には、注文指示されたメインメニュー品目はサブメニューを有する品目なので、ＣＰＵ１３は、オーダ番号ｎの注文メニュー情報からサブメニュー群番号を抽出し、このサブメニュー群番号に対応するサブメニュー群名称を注文管理装置３からダウンロードされたサブメニューファイル９から取得する。そして、メニュー画面４０に、注文指示されたメインメニュー品目のメインメニュー名称と関連付けて、取得したサブメニュー群名称を注文数とともに表示させる（メニュー表示制御手段）。しかる後、ＣＰＵ１３は、サブメニューフラグＳＭＦを調べ、“０”であったならば“１”に変更して、ＳＴ１の確認／送信キー入力判断処理に戻る。
【００３７】
一方、オーダメモリ３１を検索した結果、検索コードと一致するメインメニューコードの注文メニュー情報が記憶されていた場合には、注文指示されたメインメニュー品目と同一品目の注文メニュー情報がオーダメモリ３１に格納されているので、ＣＰＵ１３は、当該注文メニュー情報のオーダ番号ｋ（ｋ＜ｎ）を取得する。そして、このオーダ番号ｋの注文メニュー情報の注文数を１だけ増加する。また、メニュー画面４０に表示されている当該メインメニュー品目の注文数も増加する。
【００３８】
次に、ＣＰＵ１３は、オーダ番号ｋの注文メニュー情報のサブメニュー数を調べる。ここで、サブメニュー数が“０”であった場合には、注文指示されたメインメニュー品目はサブメニューを有さない品目なので、ＣＰＵ１３は、ＳＴ１の確認／送信キー入力判断処理に戻る。
【００３９】
これに対し、サブメニュー数が“１”以上であった場合には、注文指示されたメインメニュー品目はサブメニューを有する品目なので、ＣＰＵ１３は、オーダ番号ｋの注文メニュー情報からメインメニューコードを取得し、メインメニューファイル８から当該メインメニューコードに対応するサブメニュー群番号を読み出して、オーダ番号ｋの注文メニュー情報に追加する。その後、ＣＰＵ１３は、ＳＴ１の確認／送信キー入力判断処理に戻る。
【００４０】
したがって、メインメニューリスト画面５０がタッチパネル付ディスプレイ１２に表示されている状態にあって、その画面のタッチキー部５１が連続して操作されると、その都度、ＣＰＵ１３は、メインメニュー注文処理を実行する。
【００４１】
メニュー画面４０の一例を図１３に示す。この画面４０には、予め複数個（図では７つ）の皿を図案化したアイコン（以下、皿型アイコンと称する）４１（４１Ａ，４１Ｂ，…，４１Ｇ）が表示されており、新規のメインメニュー品目が注文指示される毎に、１つのアイコンが選択され、そのアイコン内にメインメニュー名称と注文数とが表示される。また、サブメニューを有するメインメニュー品目に対しては、サブメニュー数と一致する数の小皿を図案化したアイコン（以下、小皿型アイコンと称する）４２（４２Ａ，４２Ｂ，４２Ｃ，４２Ｄ，４２Ｅ，４２Ｆ）が皿型アイコン４１と関連付けられて表示され、各小皿型アイコン４２内に該当するサブメニュー群名称が表示される。
【００４２】
ＳＴ２にてサブメニューフラグＳＭＦが“１”であることを確認した場合には、ＣＰＵ１３は、サブメニュー群の入力宣言があったか否かを判断する。ここで、サブメニュー群の入力宣言が無かった場合には、ＳＴ３のメニュー群指定キー２２の入力有無判断処理に進む。
【００４３】
これに対し、タッチパネルからの信号によりメニュー画面４０に表示されている小皿型アイコン４２がタッチ操作されたことを検出した場合には、ＣＰＵ１３は、サブメニュー群の入力宣言があったと判断する。そして、図１０の流れ図に具体的に示すサブメニュー注文処理を実行する。
【００４４】
先ず、ＣＰＵ１３は、サブメニュー入力宣言のあったメインメニュー品目、つまりはタッチ操作された小皿型アイコン４２と関連付けられた皿型アイコン４１に表示されている名称のメインメニュー品目に対応する注文メニュー情報のオーダ番号ｋをオーダメモリ３１から取得する。次に、ＣＰＵ１３は、タッチ操作された小皿型アイコン４２に表示されている名称のサブメニュー群を識別するサブメニュー群番号がオーダ番号ｋの注文メニュー情報に記憶されているか否かを判断する。ここで、記憶されていない場合には、該当するサブメニュー群の指定は完了しているので、ＣＰＵ１３は、ＳＴ１の確認／送信キー入力判断処理に戻る。
【００４５】
これに対し、当該サブメニュー群番号がオーダ番号ｋの注文メニュー情報に記憶されている場合には、ＣＰＵ１３は、当該サブメニュー群番号に対応するサブメニュー品目情報（サブメニューコード，サブメニュー名称，コメント群番号）をサブメニューファイル９から読み出す。そして、サブメニュー名称のリスト画面（サブメニューリスト画面６０）を作成し、タッチパネル付ディスプレイ１２に表示させる。
【００４６】
サブメニューリスト画面６０の一例を図１４に示す。この画面６０は、サブメニュー群「サラダ」の小皿型アイコン４２Ｂがタッチ操作されたときに表示されるサブメニューリスト画面６０であって、リスト部６１と、ＯＫボタン６２とからなっている。リスト部６１には、サブメニュー群「サラダ」に属する各サブメニュー品目の名称が表示されている。
【００４７】
そこでＣＰＵ１３は、ＳＴ７としてサブメニューリスト画面６０のＯＫボタン６２がタッチ操作されるか、ＳＴ８としてリスト部６１がタッチ操作されるのを待機する。ここで、タッチパネルからの信号により画面６０のＯＫボタン６２がタッチ操作されたことを検出した場合には、ＣＰＵ１３は、サブメニューリスト画面６０を消去する。そして、ＳＴ１の確認／送信キー入力判断処理に戻る。
【００４８】
一方、タッチパネルからの信号によりリスト部６１がタッチ操作されたことを検出した場合には、タッチ操作部位に表示されている名称のサブメニュー品目が指定されたので、ＣＰＵ１３は、ＳＴ９としてその指定されたサブメニュー品目に関する情報のコメント群番号を調べる。そして、コメント群番号が“０”の場合には、当該サブメニュー品目に対してはコメントが不要なので、ＣＰＵ１３は、オーダメモリ３１に記憶されているオーダ番号ｋの注文メニュー情報の中から、指定されたサブメニュー品目のサブメニュー群番号を検出する。そして、このサブメニュー群番号を、指定されたサブメニュー品目のサブメニューコードに変更する。
【００４９】
これに対し、コメント群番号が“０”でない場合には、当該サブメニュー品目に対してはコメントが必要なので、ＣＰＵ１３は、そのコメント群番号に対応するコメント情報を注文管理装置３からダウンロードされたコメントファイル１０から読出す。そして、コメント情報のリスト画面（コメントリスト画面７０）を作成し、タッチパネル付ディスプレイ１２に表示させる。
【００５０】
コメントリスト画面７０の一例を図１５に示す。この画面７０には、サブメニュー群「サラダ」の中の１品目（コーンサラダ）が指定されたときに表示されるコメントリスト画面７０であって、サブメニュー群「サラダ」に対するコメント群「ドレッシング」のコメント項目が表示されている。
【００５１】
そこでＣＰＵ１３は、ＳＴ１０としてコメントリスト画面７０の中のいずれかのコメント項目が選択されるのを待機する。そして、タッチパネルからの信号によりコメントリスト画面７０がタッチ操作されたことを検出した場合には、タッチ操作部位に表示されているコメント項目が選択されたので、ＣＰＵ１３は、オーダメモリ３１に記憶されているオーダ番号ｋの注文メニュー情報の中から、指定されたサブメニュー品目のサブメニュー群番号を検出する。そして、このサブメニュー群番号を、指定されたサブメニュー品目のサブメニューコードと選択されたコメント項目のコメントコードとに変更する。しかる後、コメントリスト画面７０を消去する。
【００５２】
その後、ＣＰＵ１３は、ＳＴ１１としてオーダ番号ｋの注文メニュー情報中に、指定されたサブメニュー品目のサブメニュー群番号が残っているか否かを判断する（サブメニュー別指定済判断手段）。そして、残っている場合には、ＳＴ７のＯＫボタン入力判断処理に戻る。
【００５３】
これに対し、該当するサブメニュー群番号が残っていない場合には、ＣＰＵ１３は、サブメニューリスト画面６０を消去する。また、メニュー画面４０に表示されている小皿型アイコン４２のうち、サブメニュー入力宣言のあったサブメニュー群に関連するアイコン４２、つまりはタッチ操作されたアイコン４２を入力完了表示とする（表現切換手段）。さらに、オーダメモリ３１に記憶されているオーダ番号ｋの注文メニュー情報のサブメニュー数を１だけ減算する。しかる後、ＣＰＵ１３は、ＳＴ１２としてオーダメモリ３１に記憶されている全ての注文メニュー情報のサブメニュー数を調べる。そして、全ての注文メニュー情報のサブメニュー数が“０”であった場合に限り、サブメニューフラグＳＭＦを“０”に戻す。少なくとも１つの注文メニュー情報のサブメニュー数が“１”以上であった場合には、サブメニューフラグＳＭＦは“１”のままとする。その後、ＣＰＵ１３は、ＳＴ１の確認／送信キー入力判断処理に戻る。
【００５４】
入力完了表示の一例を図１６に示す。この例は、注文数が２点のメインメニュー品目「スペシャルランチ」に対するサブメニュー群「サラダ」の入力を完了した場合であり、入力を完了していない他のサブメニュー群に対応する小皿型アイコン４２Ａ，４２Ｃ，４２Ｄに対して、入力を完了したサブメニュー群「サラダ」に対応する小皿型アイコン４２Ｂの色を変えている。例えば、入力完了前のアイコン４２Ａ，４２Ｃ，４２Ｄの色を赤色とし、入力完了後のアイコン４２Ｂの色を青色としている。
【００５５】
なお、アイコンの色は特に限定されるものではなく、例えば入力完了前のアイコン４２Ａ，４２Ｃ，４２Ｄの色を青色とし、入力完了後のアイコン４２Ｂの色を赤色としてもよい。また、その他の色の組合せを適用してもよい。要は、入力完了前のアイコン４２Ａ，４２Ｃ，４２Ｄと入力完了後のアイコン４２Ｂとを一目で区別できればよい。このため、例えば、図１９に示すように、入力完了前のアイコン４２Ａ，４２Ｃ，４２Ｄと入力完了後のアイコン４２Ｂとで形状を異ならせることにより区別できるようにしてもよい。
【００５６】
ＳＴ１にてキーボードコントローラ１７からの指令により確認／送信キー２４が入力されたと判断した場合には、ＣＰＵ１３は、図１１の流れ図に具体的に示す確認／送信処理を実行する。先ず、ＣＰＵ１３は、ＳＴ１３としてオーダ数カウンタｎを調べる。ここで、オーダ数カウンタｎが“０”であった場合には、注文メニュー情報の入力なしに確認／送信キー２４が操作された誤操作なので、ＳＴ１の確認／送信キー入力判断処理に戻る。
【００５７】
オーダ数カウンタｎが“１”以上であった場合には、ＣＰＵ１３は、オーダメモリ３１内に記憶されている全ての注文メニュー情報から注文入力されたメインメニュー品目の一覧リスト画面（注文確認リスト画面８０）を作成し、タッチパネル付ディスプレイ１２に表示させる。
【００５８】
次に、ＣＰＵ１３は、ＳＴ１４としてサブメニューフラグＳＭＦを調べる（メニュー別指定済判断手段）。ここで、サブメニューフラグＳＭＦが“１”に更新されていた場合には、サブメニューを指定していないメインメニュー品目があるので、ＣＰＵ１３は、オーダメモリ３１内の注文メニュー情報からサブメニュー群番号が残っている注文メニュー情報を検出する。そして、この注文メニュー情報のメインメニュー名称を取得し、注文確認リスト画面８０内の該当するメインメニュー名称に対して警告表示を行う（報知手段）。
【００５９】
警告表示を含む注文確認リスト画面８０の一例を図１７に示す。この画面８０は、メインメニュー品目「おすすめランチ」と「ミートスパゲッティ」を各１点と「スペシャルランチ」を２点の計４点の注文を入力したが、「スペシャルランチ」に対するサブメニューの指定が残っているときの注文確認リスト画面８０である。注文確認リスト画面８０には、メインメニュー品目の名称リスト８１の他、閉じるボタン８２が表示されている。また、メインメニュー品目「スペシャルランチ」には、警告マーク８３が表示されている。
【００６０】
そこで、ＣＰＵ１３は、ＳＴ１５として注文確認リスト画面８０の閉じるボタン８２が入力されるのを待機する。そして、タッチパネルからの信号により閉じるボタン８２がタッチ操作されたことを検出した場合には、ＣＰＵ１３は、注文確認リスト画面８０を消去した後、ＳＴ１の確認／送信キー入力判断処理に戻る。
【００６１】
ＳＴ１４にてサブメニューフラグＳＭＦが“０”であった場合には、ＣＰＵ１３は、注文確認リスト画面８０の閉じるボタン８２が入力されるか、確認／送信キー２４が再度操作されるのを待機する。ここで、閉じるボタン８２の入力を検出した場合には、ＣＰＵ１３は、注文確認リスト画面８０を消去した後、ＳＴ１の確認／送信キー入力判断処理に戻る。
【００６２】
これに対し、確認／送信キー２４の入力を検出した場合には、ＣＰＵ１３は、オーダメモリ３１に記憶されている注文メニュー情報を無線回路１６で変調し、無線波として無線部２に送信する。また、注文確認リスト画面８０及びメニュー画面４０を消去したならば、今回のオーダキー処理を終了するものとなっている。
【００６３】
今、注文管理装置３からダウンロードされたメインメニューファイル８，サブメニューファイル９及びコメントファイル１０にそれぞれ図２，図３，図４に示すデータが設定されていたとする。そして、例えば４人グループの客のうち１人目（客Ａとする）が「おすすめランチ」を、２人目（客Ｂとする）が「スペシャルランチ」を、３人目（客Ｃとする）が「ミートスパゲッティ」を、４人目（客Ｄとする）が「スペシャルランチ」をそれぞれ順番に注文したとする。因みに、「おすすめランチ」と「スペシャルランチ」はサブメニューを有するメニュー品目であり、「ミートスパゲッティ」はサブメニューを有さないメニュー品目である。
【００６４】
この場合、接客担当の店員は、オーダエントリターミナル１のオーダキー２１を入力操作後、先ず、客Ａのオーダを聞いて「ランチ」のメニュー群指定キー２２を入力操作する。そうすると、タッチパネル付ディスプレイ１２にメインメニュー群「ランチ」のメインメニューリスト画面５０が表示されるので、その画面のタッチキー部５１に表示された「おすすめランチ」をタッチ操作する。
【００６５】
続いて店員は、客Ｂのオーダを聞いて同タッチキー部５１に表示された「スペシャルランチ」をタッチ操作する。
【００６６】
次に、店員は、客Ｃのオーダを聞いて「パスタ」のメニュー群指定キー２２を入力操作する。そうすると、タッチパネル付ディスプレイ１２にメインメニュー群「パスタ」のメインメニューリスト画面が表示されるので、その画面のタッチキー部の「ミートスパゲッティ」をタッチ操作する。
【００６７】
次に、店員は、客Ｄのオーダを聞いて「ランチ」のメニュー群指定キー２２を入力操作する。そしてメインメニュー群「ランチ」のメインメニューリスト画面５０のタッチキー部５１に表示された「スペシャルランチ」をタッチ操作する。
【００６８】
以上の操作を終えると、オーダメモリ３１には、図１８（ａ）に示すデータが記憶される。すなわち、オーダ番号「１」の注文メニュー情報としてメインメニューコード「１０１」，メニュー名称「おすすめランチ」，注文数「１」，サブメニュー数「２」，サブメニュー群番号「２０」／「３０」が記憶され、オーダ番号「２」の注文メニュー情報としてメインメニューコード「１０４」，メニュー名称「スペシャルランチ」，注文数「２」，サブメニュー数「４」，サブメニュー群番号「１０」／「２０」／「３０」／「４０」／「１０」／「２０」／「３０」／「４０」が記憶され、オーダ番号「３」の注文メニュー情報としてメインメニューコード「１２１」，メニュー名称「ミートスパゲッティ」，注文数「１」，サブメニュー数「０」，サブメニュー群番号「０」が記憶される。
【００６９】
また、タッチパネル付ディスプレイ１２には、図１３に示すメニュー画面４０が表示される。すなわち、最後に注文入力したメインメニュー品目「スペシャルランチ」の皿型アイコン４１Ｃが画面中央下部に大きく表示されている。また、この皿型アイコン４１Ｃには、４種類のサブメニュー「主食類」，「サラダ類」，「飲料類」及び「デザート類」に対応した小皿型アイコン４２Ａ，４２Ｂ，４２Ｃ，４２Ｄが表示されている。同じくメインメニュー品目「おすすめランチ」の皿型アイコン４１Ａには、２種類のサブメニュー「主食類」及び「飲料類」に対応した小皿型アイコン４２Ｅ，４２Ｆが表示されている。したがって、接客担当者は、このメニュー画面４０から、メインメニュー品目「スペシャルランチ」には４種類のサブメニューがあり、メインメニュー品目「おすすめランチ」には２種類のサブメニューがあることが容易に分かる。
【００７０】
そこで接客担当者は、例えば小皿型アイコン４２Ｂをタッチ操作する。すると、図１２に示すように、サブメニュー群「サラダ類」のサブメニューリスト画面６０がタッチパネル付ディスプレイ１２に表示されるので、メインメニュー品目「スペシャルランチ」を注文した客Ｂ及び客Ｄにサラダ類は何を指定するかを尋ねる。ここで、客Ｂが「コーンサラダ」を指定したとすると、接客担当者はサブメニューリスト画面６０のリスト部６１に表示されているサブメニュー名称「コーンサラダ」の領域をタッチ操作する。
【００７１】
そうすると、図１５に示すように、サブメニュー群「サラダ」に関連するコメント群「ドレッシング」のコメントリスト画面７０がタッチパネル付ディスプレイ１２に表示されるので、接客担当者は客Ｂにドレッシングは何にするかを尋ねる。ここで、客Ｂが「サウザン」を選択したとすると、接客担当者はコメントリスト画面７０に表示されているコメント項目「サウザン」の領域をタッチ操作する。これにより、図１８（ｂ）に示すように、オーダメモリ３１に記憶されているオーダ番号「２」の注文メニュー情報のサブメニュー群「サラダ類」に相当する１番目のサブメニュー群番号「１０」が、サブメニュー品目「コーンサラダ」のサブメニューコード「１１」と、コメント項目「サウザン」のコメントコード「１Ｂ」とに変更される。また、タッチパネル付ディスプレイ１２においては、コメントリスト画面７０が消去され、サブメニューリスト画面６０におけるリスト部６１のサブメニュー名称「コーンサラダ」の領域に指定数「１」とコメント項目「サウザン」とが表示される。
【００７２】
続いて、客Ｄが「ツナサラダ」を指定し、ドレッシング「和風」を選択したとする。この場合、接客担当者はサブメニューリスト画面６０のサブメニュー名称「ツナサラダ」の領域をタッチ操作し、続いてコメントリスト画面７０のコメント項目「和風」の領域をタッチ操作する。これにより、図１８（ｃ）に示すように、オーダ番号「２」の注文メニュー情報のサブメニュー群「サラダ類」に相当する２番目のサブメニュー群番号「１０」が、サブメニュー品目「ツナサラダ」のサブメニューコード「１３」と、コメント項目「和風」のコメントコード「１Ａ」とに変更される。また、サブメニュー数が「４」から「３」に変更される。タッチパネル付ディスプレイ１２においては、図１６に示すように、コメントリスト画面７０及びサブメニューリスト画面６０が消去される。また、メニュー画面４０のサブメニュー指定を完了したサブメニュー群「サラダ類」に対応した小皿型アイコン４２Ｂが入力完了表示となる。したがって、接客担当者は、このメニュー画面４０から、メインメニュー品目「スペシャルランチ」に付加される４種類のサブメニューのうち、「サラダ類」の指定が完了したことを容易に認識できる。
【００７３】
次に、接客担当者は、例えば小皿型アイコン４２Ａをタッチ操作する。すると、サブメニュー群「主食類」のサブメニューリスト画面が表示されるので、客Ｂ及び客Ｄに主食類は何を指定するかを尋ねる。ここで、二人とも「ライス」を指定した場合には、接客担当者は、サブメニューリスト画面のサブメニュー項目「ライス」を２回タッチ操作する。すると、小皿型アイコン４２Ａが入力完了表示となる。これにより、接客担当者は、４種類のサブメニューのうち「主食類」の指定も完了したことを容易に認識できる。
【００７４】
ここで、サブメニュー群「主食類」は、メインメニュー品目「おすすめランチ」でもサブメニュー指定項目なので、接客担当者は客Ａにも主食類を尋ねる。ここで、例えば客Ａが「パン」を指定したとすると、接客担当者は、小皿型アイコン４２Ｅをタッチ操作後、表示されたサブメニューリスト画面のサブメニュー項目「パン」を１回タッチ操作する。すると、小皿型アイコン４２Ｅが入力完了表示となる。これにより、接客担当者は、メインメニュー品目「おすすめランチ」に付加される２種類のサブメニューのうち「主食類」の指定を完了したことを容易に認識できる。
【００７５】
以後、同様にして残りのサブメニューの指定操作を行い、操作を完了したと判断すると、接客担当者は、確認／送信キー２４を入力操作する。そうすると、例えば図１７に示す内容の注文確認リスト画面８０がタッチパネル付ディスプレイ１２に表示される。この場合、メインメニュー品目「スペシャルランチ」に付加されるサブメニューの指定が完了していないので、警告マーク８３が表示される。これにより、接客担当者は、メインメニュー品目「スペシャルランチ」に付加されるサブメニューの指定が完了していないことに気付く。このとき、確認／送信キー２４を入力操作してもオーダメモリ３１内の注文メニュー情報は注文管理装置３に無線送信されない。
【００７６】
サブメニューの指定漏れに気付いた接客担当者は、閉じるボタン８２をタッチ操作する。すると、メインメニュー品目「スペシャルランチ」の皿型アイコン４１Ｃに関連付けられて表示された小皿型アイコンのうち指定を完了していないサブメニュー群、例えばデザートのアイコン４２Ｄが指定完了表示になっていないので、接客担当者はサブメニュー群「デザート」の指定漏れであることが容易にわかる。
【００７７】
その後、サブメニュー群「デザート」の指定を完了し、再度、確認／送信キー２４を入力操作すると、警告マーク８３のない注文確認リスト画面８０が表示される。これにより、接客担当者はサブメニュー群「デザート」の指定漏れがないことを確認できる。そこで接客担当者は、再び確認／送信キー２４を入力操作する。すると、オーダメモリ３１内の注文メニュー情報は注文管理装置３に無線送信されて、注文入力作業が完了する。
【００７８】
このように本実施の形態によれば、サブメニューを有するメインメニュー品目の注文情報が入力されても、次にそのメニュー品目に付加されるサブメニュー品目を指定しなければならない制約が無く、同一グループ内の他の客が注文したメインメニュー品目の注文情報を入力したり、同一グループ内の他の客が既に注文したメインメニュー品目に付加されるサブメニュー品目を指定したりすることができる。したがって、注文情報の入力手順が自由化されるので、受注作業の能率を向上させることができる。しかも、タッチパネル付ディスプレイ１２に表示される確認リスト画面８０によって、サブメニューの指定が完了しているメニュー品目と指定が完了していないメニュー品目とを容易に区別することができる。その結果、サブメニューの指定漏れを確実に防止することができる。
【００７９】
また、複数種類のサブメニューを有するメインメニュー品目に対しては、メニュー画面４０に表示される小皿型アイコン４２の色や形状等によって、サブメニュー毎に品目指定を完了しているか否かを容易に区別することができる。しかも、同一のメインメニュー品目が複数注文された場合には、その注文数のサブメニュー品目が指定されるまで入力完了表示とならないので、この点からもサブメニューの指定漏れを確実に防止できる効果を奏する。
【００８０】
なお、本発明は前記一実施の形態に限定されるものではない。  
例えば、前記実施の形態では、サブメニューが指定済でないと判断されたメニュー品目を報知する手段として警告マーク８３を表示する手段を示したが、報知手段はこれに限定されるものではなく、例えば、注文確認リスト画面８０において、サブメニューが指定済でないと判断されたメニュー品目を示す名称の文字の色を他のメニュー品目を示す名称と異ならせたり、当該名称が表示されているリスト部の背景色を異ならせたりして報知してもよい。また、オーダエントリターミナル１が音声合成機能を有している場合には、サブメニューが指定済でないと判断されたメニュー品目を示す名称を音声出力して、報知するようにしてもよい。
【００８１】
また、前記実施の形態では、メインメニュー品目の皿型アイコン４１に関連付けてサブメニュー群の小皿型アイコン４２を表示させたが、メニュー表示制御手段はこれに限定されるものではない。例えばメインメニュー品目の名称に続いてブメニュー群の名称を表示させる。そして、サブメニューの品目指定前と指定後で名称を示す文字の色を異ならせてもよい。
【００８２】
また、前記実施の形態では、サブメニュー品目が指定されると該当する注文メニュー情報のサブメニュー群番号を指定されたサブメニュー品目のコードに変更することによって、サブメニュー品目指定済のサブメニュー群と指定前のサブメニュー群とを区別するようにしたが、例えば注文メニュー情報のサブメニュー群番号にサブメニュー品目指定済か否かを識別する情報を付加し、この情報を変更することによって区別するようにしてもよい。
【００８３】
また、前記実施の形態では、メインメニューファイル８，サブメニューファイル９及びコメントファイル１０をオーダエントリターミナル１に予めダウンロードしたが、ダウンロードせず、オーダエントリターミナル１が、上記データファイルを参照する必要がある都度、無線を利用して注文管理装置３に問合わせるようにしてもよい。  
この他、本発明の要旨を逸脱しない範囲で種々変形実施可能であるのは勿論である。
【図面の簡単な説明】
【００８４】
【図１】本発明の一実施の形態における注文管理システムの全体構成図。
【図２】同実施の形態におけるメインメニューファイルのデータ構造を示す模式図。
【図３】同実施の形態におけるサブメニューファイルのデータ構造を示す模式図。
【図４】同実施の形態におけるコメントメニューファイルのデータ構造を示す模式図。
【図５】同実施の形態におけるオーダエントリターミナルの外観構成を示す平面図。
【図６】同実施の形態におけるオーダエントリターミナルの要部構成を示すブロック図。
【図７】同オーダエントリターミナルのＲＡＭに形成される主要なメモリエリアを示す模式図。
【図８】同オーダエントリターミナルのＣＰＵが実行するオーダキー処理の要部を示す流れ図。
【図９】図８におけるメインメニュー注文処理を具体的に示す流れ図。
【図１０】図８におけるサブメニュー注文処理を具体的に示す流れ図。
【図１１】図８における確認／送信処理を具体的に示す流れ図。
【図１２】同実施の形態においてオーダエントリターミナルの表示部に表示されるメインメニューリスト画面の一例を示す平面図。
【図１３】同実施の形態においてオーダエントリターミナルの表示部に表示されるメニュー画面の一例を示す平面図。
【図１４】同実施の形態においてオーダエントリターミナルの表示部に表示されるサブメニューリスト画面の一例を示す平面図。
【図１５】同実施の形態においてオーダエントリターミナルの表示部に表示されるコメントリスト画面の一例を示す平面図。
【図１６】同メニュー画面においてサブメニュー入力完了表示の一例を示す平面図。
【図１７】同実施の形態においてオーダエントリターミナルの表示部に表示される注文確認リスト画面の一例を示す平面図。
【図１８】同実施の形態においてオーダエントリターミナルが有するオーダメモリのデータ説明に用いる模式図。
【図１９】同実施の形態においてオーダエントリターミナルの表示部に表示されるメニューリスト画面の他の例を示す平面図。
【符号の説明】
【００８５】
１…オーダエントリターミナル、２…無線部、３…注文管理装置、８…メインメニューファイル、９…サブメニューファイル、1０…コメントファイル、１１…キーボード、１２…タッチパネル付ディスプレイ、１３…ＣＰＵ、３１…オーダメモリ、４０…メニュー画面、５０…メインメニューリスト画面、６０…サブメニューリスト画面、７０…コメントリスト画面、８０…注文確認リスト画面。
【図１】
2005182459.tif 000003
【図２】
2005182459.tif 000004
【図３】
2005182459.tif 000005
【図４】
2005182459.tif 000006
【図５】
2005182459.tif 000007
【図６】
2005182459.tif 000008
【図７】
2005182459.tif 000009
【図８】
2005182459.tif 000010
【図９】
2005182459.tif 000011
【図１０】
2005182459.tif 000012
【図１１】
2005182459.tif 000013
【図１２】
2005182459.tif 000014
【図１３】
2005182459.tif 000015
【図１４】
2005182459.tif 000016
【図１５】
2005182459.tif 000017
【図１６】
2005182459.tif 000018
【図１７】
2005182459.tif 000019
【図１８】
2005182459.tif 000020
【図１９】
2005182459.tif 000021